(57)【要約】【課題】キャップが遊び半分の弄くりによって容易に無断開放されることがないキャップ付き錠を提供する。【解決手段】錠本体の前面に対して直角な枢軸を中心に回転可能かつ軸方向に移動可能にキャップを錠本体に取付け、錠本体の前面に回転阻止用突起を直角に形成し、キャップの内定面に回転阻止用凹部を直角に形成し、キャップの嵌着位置においてバネ部材の引付け付勢によって回転阻止用突起を回転阻止用凹部に係合させ、鍵の使用時には、バネ部材の前記付勢に抗してキャップを前方に引出して回転阻止用突起を回転阻止用凹部から脱出させて、キャップを錠本体の前面と平行に回転させる。【選択図】    図３
2004250865.tif 000002
【特許請求の範囲】
【請求項１】
錠本体の前面に対して直角な枢軸を中心に回転可能かつ軸方向に移動可能にキャップを錠本体に取付け、錠本体の前面又はキャップの内底面に回転阻止用突起を直角に形成し、キャップの内底面又は錠本体の前面に回転阻止用凹部を直角に形成し、キャップの嵌着位置においてバネ部材の引付け付勢によって回転阻止用突起を回転阻止用凹部に係合させ、鍵の使用時には、バネ部材の前記付勢に抗してキャップを前方に引出して回転阻止用突起を回転阻止用凹部から脱出させて、キャップを錠本体の前面と平行に回転させるようにしたキャップ付き錠。
【発明の詳細な説明】
【０００１】
【発明の属する技術分野】本発明は、回転式キャップが装備されたキャップ付き錠に関するものである。
【０００２】
【従来の技術】例えば交通信号機の制御盤が収納されたボックスの扉に使用される錠では、浮遊塵埃や雨水の侵入によって錠機構が作動不能や作動不良を来さないようにするため、錠本体の前面部に回転式キャップを装着し、鍵孔を隠蔽している（例えば、特許文献１参照）。
【０００３】
従来のキャップ付き錠では、キャップは錠本体の前面に直角な枢軸を中心に回転可能に取付けられており、キャップ裏面に形成した浅い円形凹部が錠本体の前面に形成した低い円形隆起部に嵌るように、キャップがバネ部材によって錠本体に引き付けられている。そのため、錠本体の鍵孔はキャップによって被覆された状態に保持される。
【０００４】
信号機の管理者が制御盤の点検修理や設定変更のために扉を開けたいときには、キャップ周面に形成された指掛け用窪み部に指を掛けて、キャップに対し側面方向から回転力を与える。この回転力によってキャップの周縁部が前記円形隆起部の湾曲側面部に押し付けられるため、キャップは該湾曲側面部に誘導されて錠本体の前面方向に自動的に移動し、該円形隆起部の前面に乗り上げたキャップは、鍵孔を全面開放し、鍵の操作に支障とならない位置まで回転させられる。
【０００５】
しかしながら、このようにキャップ指掛け用窪み部に指を掛けて側面方向に押せば、何時でも誰にでも簡単に開放回転し得る状態にセットされているため、信号待ちの通行人等が遊び半分でキャップを弄くって開けてしまい、その後、信号が変わったときキャップを閉めないままに現場を立ち去ってしまうことがある。キャップが開放状態に放置されてしまうと、鍵孔は塵埃や雨水の侵入に対して無防備となってしまう。
【０００６】
【特許文献１】実公平６―４３３９４号公報
【０００７】
【発明が解決しようとする課題】したがって本発明の目的は、キャップが遊び半分の弄くりによって容易に無断開放されることがないキャップ付き錠を提供することである。
【０００８】
【課題を解決するための手段】上記課題を解決するために本発明のキャップ付き錠では、錠本体の前面に対して直角な枢軸を中心に回転可能かつ軸方向に移動可能にキャップを錠本体に取付け、錠本体の前面又はキャップの内底面に回転阻止用突起を直角に形成し、キャップの内底面又は錠本体の前面に回転阻止用凹部を直角に形成し、キャップの嵌着位置においてバネ部材の引付け付勢によって回転阻止用突起を回転阻止用凹部に係合させる。
【０００９】
鍵を使用するためにキャップを開放するときには、図２に示したようにバネ部材の前記付勢に抗してキャップを前方に引出し、回転阻止用突起を回転阻止用凹部から脱出させる。これによって錠本体に対するキャップの回転拘束が解除されるため、キャップの周側面に指を掛けて、側面方向に押すことによってキャップを錠本体の前面と平行に回転させる。
【００１０】
キャップの開放回転によって錠本体の鍵孔が現れるので、鍵孔に所定の鍵を挿入して施錠軸を錠本体に対して回転させ、施錠軸に連動装備したロック部材を解錠位置に駆動する。これによってボックス本体に対する扉の拘束が解除され、扉は制御盤などの内蔵機器の点検修理や設定変更のために開放させられる。
【００１１】
所要の作業終了後、扉は再び閉鎖され、鍵を逆に回して前記ロック部材で扉をボックス本体に錠止した後、鍵が施錠軸の鍵孔から抜き取られ、キャップが逆に回されて錠本体の前面部に被着される。
この被着の最終段階でキャップの回転阻止用凹部に錠本体の回転阻止用突起が係合し、両者の係合が前記バネ部材の引付け付勢によって保持される。
【００１２】
【発明の実施の形態】図示の実施例では、錠本体１はラッチユニット２の前面板部３に対して直角に固着されており、錠本体１の中央孔４に回転可能に嵌合された施錠軸５には、鍵孔６が軸方向に形成されている。ラッチユニット２は扉（図示していない）の裏側に格納される。施錠軸５の内端部には適当なカム機構を介してラッチ型のロック部材７が、直線的に進退するように連動装備されている。ロック部材７の先端部は、ボックス本体（図示していない）の受金部に係脱し、扉を閉鎖位置に錠止する。
【００１３】
回転阻止用突起８は錠本体１の前面部に一体形成されたピン状突起である。この回転阻止用突起８の断面形状は円形に限定される矩形などの他の形状も採用できる。回転阻止用突起８は錠本体１と別個の部品で構成し、錠本体１の前面に形成した受孔に圧入固定したり溶接したりしても良い。
【００１４】
キャップ１０を手前に引出さないまま側面方向に回そうとするとき、互いに当接する回転阻止用突起８の一方の外側面と回転阻止用凹部９の一方の内側面は、施錠軸５の中央軸線と平行であり、錠本体１の前面１ａ及びキャップ１０の内底面１１に対して直角に配置されている。
【００１５】
回転阻止用凹部９は円形キャップ１０の裏面の浅い円形凹部の内底面１１に形成されている。錠本体１の前面が回転阻止用突起によって擦り傷を負う危険性やデメリットはあるが、回転阻止用凹部を錠本体側に設け、回転阻止用突起をキャップ側に設けることもできる。
【００１６】
図４に示したように回転阻止用突起８の片側面を傾斜面または湾曲面状のカム面８ａに形成すると、前記被着動作の最終段階で該カム面８ａに誘導されてキャップ１０が錠本体１の前面の低い円形隆起部１２に自動的に嵌合するので、閉鎖操作時の作業性が良くなる。
【００１７】
キャップ１０の回転中心となる枢軸１３は、キャップ１０の内底面１１より直角に突出形成されているか、溶接されている。枢軸１３は錠本体１の外周部に軸方向に形成された軸孔１４に挿入されており、枢軸１３の先端部にはバネ受板１５が固着されている。軸孔１４の端面壁１４ａとバネ受板１５の間に圧縮された圧縮コイルバネよりなるバネ部材１６は、キャップ１０を錠本体１の前面部に引き付けている。
【００１８】
枢軸１３とバネ部材１６の配置と装着形態は図示のものに限定されず、キャップ１０が施錠軸５と平行に配置され、キャップ１０を錠本体１に引き付ける機能が達成されれば足りる。
【００１９】
【発明の効果】以上のように本発明のキャップ付き錠では、錠本体の前面に回転阻止用突起を直角に形成し、キャップの内底面に回転阻止用凹部を直角に形成し、キャップの嵌着位置においてバネ部材の引付け付勢によって回転阻止用突起を回転阻止用凹部に係合させるので、キャップが遊び半分の弄くりによって容易に無断開放されることがない。
【００２０】
キャップを積極的に錠本体の前面側に引出してから回さなければならないので、悪戯による開放操作が抑制され、他物や人体との接触による偶発的な開放からも防護される。
【図面の簡単な説明】
【図１】本発明の一実施例に係るキャップ付き錠のキャップ開放状態の正面図である。
【図２】図１のキャップ付き錠のキャップ開放状態の底面図である。
【図３】図１のキャップ付き錠のキャップ閉鎖状態の底面図である。
【図４】本発明の別の実施例に係るキャップ付き錠のキャップ開放状態の要部底面図である。
【符号の説明】
１  錠本体
２  ラッチユニット
３  ラッチユニットの前面板部
４  錠本体の中央孔
５  施錠軸
６  鍵孔
７  ロック部材
８  回転阻止用突起
９  回転阻止用凹部
１０  キャップ
１１  キャップの内底面
１２  円形隆起部
１３  枢軸
１４  軸孔
１５  バネ受板
１６  バネ部材
【図１】
2004250865.tif 000003
【図２】
2004250865.tif 000004
【図３】
2004250865.tif 000005
【図４】
2004250865.tif 000006